(57)【要約】【課題】照明光源が射出する照明光の指向性を制御することにより、装飾性が豊かな発光装飾を供給し得るように構成した電気装飾装置を提供する。【解決手段】電飾看板１００は、照明光を射出する照明光源であるＬＥＤ１１１ａ，１１１ｂを実装した電飾基板１１０と、ＬＥＤ１１１ａ，１１１ｂから射出される照明光を拡散するシート状の拡散シート部材１４３と、ＬＥＤ１１１ａ，１１１ｂから射出される照明光を拡散する外側レンズ部材１４１及び内側レンズ部材１４４と、前記拡散シート部材、外側レンズ部材１４１及び内側レンズ部材１４４によって拡散された拡散光を透過することで発光装飾する看板蓋部材１３０とを備え、前記拡散シート部材、外側レンズ部材１４１及び内側レンズ部材１４４が、電飾基板１１０と看板蓋部材１３０との間にそれぞれ配設されることにより、ＬＥＤ１１１ａ，１１１ｂから射出される照明光を順次拡散するように構成される。【選択図】  図３
2008250067.tif 000002
【特許請求の範囲】
【請求項１】
照明光を射出する照明光源を実装した電気装飾基板と、
前記照明光を拡散するシート状の拡散シート部材と、
前記照明光を拡散する拡散レンズ部材と、
前記拡散シート部材及び前記拡散レンズ部材によって拡散された拡散光を透過することで発光装飾する装飾カバー部材とを備え、
前記拡散シート部材及び前記拡散レンズ部材が、前記電気装飾基板と前記装飾カバー部材との間にそれぞれ配設されることにより、前記照明光を順次拡散するように構成したことを特徴とする電気装飾装置。
【請求項２】
前記拡散レンズ部材は、少なくとも一方の面に複数の凸部もしくは凹部を平面状に並べて形成されることを特徴とする請求項１に記載の電気装飾装置。
【発明の詳細な説明】
【技術分野】
【０００１】
本発明は、遊技機に用いられ遊技展開に応じて点灯もしくは点滅表示される遊技機の電気装飾装置に関する。
【背景技術】
【０００２】
パチンコ機やスロットマシン等の遊技機には、遊技の単調化を抑制して遊技者を視覚的にも楽しませるため、照明光源を備えた電気装飾装置（一般に電飾装置と称される）が遊技機各部に設けられており、遊技展開に応じて照明光源から照明光を射出させて電飾装置を点灯もしくは点滅させるように構成されている。
【０００３】
このような電飾装置に用いられる照明光源は、従来では小型のランプや電球等を光源として用いるとともに、その前方に有色透明の装飾レンズ部材を配設して装飾レンズ部材を透過した装飾光を射出させ、装飾レンズ部材の色彩に応じた発光を遊技者に視認させるように構成されており、遊技機各部に異なる色彩の装飾レンズ部材を装着することで複数色の電気装飾を行っていた。近年では、半導体技術の進展によって発光ダイオード（ＬＥＤ）の発光色が任意に選択可能となり、ＬＥＤの発光輝度も高くなってきたことから、光源として小型、軽量で基板実装も可能なＬＥＤを用いた電飾装置が種々考案され、遊技機に用いられるようになっている（例えば、特許文献１参照）。
【０００４】
照明光源にＬＥＤを用いた電飾装置では、レンズ体の後方にＬＥＤを実装した基板を収納する収納部を設け、ＬＥＤとレンズ体との充分な距離を確保することによって、レンズ体全体に均一な光を照射し、レンズ体全体を美麗に発光させる電飾装置が知られている（例えば、特許文献２参照）。
【０００５】
【特許文献１】特開２０００−２７９５７８号公報
【特許文献２】特開２００６−１８０９２２号公報
【発明の開示】
【発明が解決しようとする課題】
【０００６】
上述したように、従来の電飾装置では、照明光源にＬＥＤが多く用いられているが、このＬＥＤによって射出される照明光は指向性が強く広がりが小さいため、発光面積が広い照明装置に用いる場合には、装飾性に欠けるという問題があった。また、発光装飾されるレンズ体全体を発光させる場合には、ＬＥＤとレンズ体との距離を確保する必要があり、電飾装置が大型化するという問題があった。
【０００７】
本発明はこのような課題に鑑みてなされたものであり、照明光源が射出する照明光の指向性を制御することにより、装飾性が豊かな発光装飾を供給し得るように構成した電気装飾装置を提供することを目的とする。
【課題を解決するための手段】
【０００８】
上記課題を解決して目的を達成するため、照明光を射出する照明光源（例えば、実施形態におけるＬＥＤ１１１ａ，１１１ｂ）を実装した電気装飾基板（例えば、実施形態における電飾基板１１０）と、前記照明光を拡散するシート状の拡散シート部材（例えば、実施形態における光拡散シート部材１４３）と、前記照明光を拡散する拡散レンズ部材（例えば、実施形態における外側レンズ部材１４１、内側レンズ部材１４４）と、前記拡散レンズ部材及び前記拡散シート部材によって拡散された拡散光を透過することで発光装飾する装飾カバー部材（例えば、実施形態における看板蓋部材１３０）とを備え、前記拡散シート部材及び前記拡散レンズ部材が、前記電気装飾基板と前記装飾カバー部材との間にそれぞれ配設されることにより、前記照明光を順次拡散するように構成される。
【０００９】
なお、前記拡散レンズ部材は、少なくとも一方の面に複数の凸部もしくは凹部を平面状に並べて形成されることが好ましい。
【発明の効果】
【００１０】
本発明に係る電気装飾装置では、拡散シート部材及び拡散レンズ部材が、電気装飾基板と装飾カバー部材との間にそれぞれ配設され、照明光源からの照明光を順次拡散するように構成される。このため、拡散シート部材及び拡散レンズ部材が、指向性の強い点発光型の照明光源からの照明光を効率良く拡散し、発光面積の大きい広がりのある拡散光を射出し、この拡散光によって、装飾カバー部材の全面から均一な光が発せられるような、あたかも装飾カバー部材の全体が発光しているような外観を醸し出すことが可能となる。さらに、照明光源が実装された電気装飾基板と光拡散部材との間隔を十分にとることができない場合であっても、拡散シート部材及び拡散レンズ部材によって効率良く照明光を拡散できるので、電気装飾装置の薄型化を図ることができる。
【００１１】
なお、拡散レンズ部材が、少なくとも一方の面に複数の凸部もしくは凹部を平面上に並べて形成されるので、照明光源からの照明光は、拡散シート部材によって拡散され、さらに拡散レンズ部材の少なくとも一方の面に形成された凸部もしくは凹部の形状が有する性質に基づいて拡散される。そのため、広範囲に効率良く照明光を拡散させることができ、発光面積の広い電気装飾装置を得ることができる。
【００１２】
拡散レンズ部材の平面上に形成された凸部もしくは凹部が、照明光を入射する側の面に設けられた場合には、平坦面の場合と比較して受光面積が広くなり、光拡散部材の内部に生じる光の屈折や散乱の要因が増えることで拡散透過光が増大し、照明光の拡散効率を向上させることができる。また、凸部もしくは凹部が、拡散光を射出する側の面に設けられた場合には、凸部もしくは凹部の内部で生じる光の屈折や散乱が増えるとともに、平坦面の場合と比較して射出面積が広くなることで透過光が拡散され、照明光の拡散効率を向上させることができる。さらに、凸部もしくは凹部が、照明光を入射する側の面及び拡散光を射出する側の面の両面に設けられた場合においては、両面の凸部もしくは凹部が相乗効果を為し、光の拡散効率を向上させることができる。
【発明を実施するための最良の形態】
【００１３】
以下、本発明の好ましい実施形態について図面を参照して説明する。本発明に係る遊技機の代表例としてパチンコ機ＰＭの正面図を図１に示しており、まずこの図面を参照してパチンコ機ＰＭの全体構成について概要説明する。
【００１４】
パチンコ機ＰＭは、外郭方形の所定枠サイズに構成されて縦向きの固定保持枠をなす外枠１の開口前面に、これに合わせた方形枠サイズに構成された開閉搭載枠を成す前枠２が互いの正面左側縁部に配設された上下のヒンジ機構３ａ，３ｂにより前方に横開き開閉及び着脱が可能に取り付けられ、常に正面右側縁部に設けられた施錠機構４を利用して外枠１に閉鎖施錠された状態で保持される。
【００１５】
前枠２の各部には、パチンコ遊技を展開する遊技展開部材として、前枠２の前側面域に合わせた方形状のガラス扉５及び球皿ユニット６が正面左側部に設けられたヒンジ機構７ａ，７ｂ，７ｃを利用して横開き開閉及び着脱が可能に組付けられ、常には施錠機構４を利用して外枠１に閉鎖状態で保持される。球皿ユニット６の右側下部には遊技球の発射操作を行う操作ハンドル８が設けられ、操作ハンドル８の左方には効果音を発生するスピーカ９が設けられている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１６】
遊技盤１０単体の正面図を図２に示すように、遊技盤１０は、積層合板の表面に所定意匠のセルを貼り付けた化粧板１１（ベニヤ板とも称される）を基板として構成され、化粧板１１の前面側に内外の案内レール１２が円弧状に固設され、この案内レール１２で囲まれた内側に、遊技球発射装置（図示せず）から打ち出された遊技球が転動可能な略円形の遊技領域ＰＡが区画される。
【００１７】
遊技領域ＰＡには、多数本の遊技釘（図示せず）や風車１３とともに、一般入賞具や始動入賞具並びに大入賞口を備えたアタッカー等の入賞具１４、化粧板１１を表裏貫通する箱枠状に形成され遊技球が転動可能な波形ステージＳが設けられたセンター飾り１５などが設けられている。また、遊技領域ＰＡの下端には、各入賞具１４に入賞せずに遊技領域ＰＡの下端まで落下した遊技球（「アウト球」という）を、遊技盤１０の裏面に排出させるアウト口１６が設けられている。各入賞具に落入した遊技球（「セーフ球」という）は、これらの入賞具に設けられた入賞口スイッチ又は始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。
【００１８】
センター飾り１５には、センター飾り１５の中央部に開口部１７が形成されており、この開口部１７の奥部に位置して遊技者側に露出するように遊技盤１０の裏面側に取り付けられ、遊技の進行状況に応じた所定の画像を表示する画像表示装置１８が設けられている。また、センター飾り１５の各部には、発光ダイオード（以下、ＬＥＤと表記する）やランプ等の光源を用いた種々の電気装飾装置として、側部電飾装置２１、上部電飾装置２２及び電飾看板１００等が設けられている。
【００１９】
遊技盤１０の後方に位置する前枠２の裏面側には、詳細図示は省略するが、裏セット盤と称される機構セット盤が取り付けられており、この裏セット盤に、球貯留タンクや球払出装置等の賞球の払出機構、遊技盤１０から排出されたセーフ球やアウト球等の遊技済み球を遊技施設の回収装置に導く遊技済み球排出機構等の球処理機構が設けられている。また、裏セット盤の後面側の各部には、パチンコ機ＰＭの作動を統括的に制御する主制御基板、主制御基板における遊技展開の状況に応じて画像表示装置１８、スピーカ９及び各電気装飾装置の作動を制御して遊技展開を視覚的・聴覚的に演出する演出制御基板、主制御基板からの指令信号に基づいて球払出装置の作動を制御する払出制御基板、操作ハンドル８からの操作信号に応じて遊技球発射装置の作動を制御する発射制御基板等の種々の回路基板が取り付けられ、これらがコネクタケーブルで接続されてパチンコ機ＰＭが作動可能に構成される。
【００２０】
このように概要構成されるパチンコ機ＰＭにおいて、複数設けられた電気装飾装置の一つとして電飾看板１００が、センター飾り１５の上方の裏面に昇降装置（図示せず）を介して取り付けられている。この電飾看板１００は、遊技の進行状況に応じて、開口部１７の内部空間に遊技者に対して露出するように落下移動するもしくは遊技者に視認されない位置へ上昇移動するように構成されている。電飾看板１００は、図３に示すように、照明光源を実装する電飾基板１１０と、センター飾り１５の上方の裏面と昇降装置によって連結され、電飾基板１１０を保持する看板本体部材１２０と、看板本体部材１２０との間に内部空間を有して看板本体部材１２０に取り付けられる看板蓋部材１３０と、電飾基板１１０に実装された照明光源からの指向性の強い照明光を拡散させる光拡散ユニット１４０とから構成される。
【００２１】
電飾基板１１０は、略矩形板状の形状を有しており、前面に配設された照明光源である複数のＬＥＤ１１１（中央部に配設された複数のＬＥＤ１１１ａ及び上下端部に配設された複数のＬＥＤ１１１ｂ）、後面に配設された接続コネクタ（図示せず）等の電子部品及び両面に配設された複数の配線パターン（図示せず）を有して構成される。この電飾基板１１０の上下端部には、それぞれ複数の基板取付孔１１２が形成されており、基板取付ネジ（図示せず）を前方側からこの基板取付孔１１２に挿入し、基板取付孔１１２と対応する位置である看板本体部材１２０の前面に前方に突出して形成された基板取付部１２２に対して螺挿してネジ締結するように構成されている。
【００２２】
看板本体部材１２０は、略矩形板状の形状を有しており、ＡＢＳ樹脂やポリカーボネート（ＰＣ）等の透明な樹脂材料を用いて射出成形等の成形手段により成形される。この看板本体部材１２０の上下端部には、上記の基板取付部１２２とともに、それぞれ複数の看板封止孔１２１が形成されており、看板封止ネジ（図示せず）を後方側からこの看板封止孔１２１に挿入し、看板封止孔１２１の位置と対応して看板蓋部材１３０の上下側壁部１３３，１３３の後方側部に形成された看板封止部（図示せず）に対して螺挿してネジ締結するように構成されている。また、看板蓋部材１２０の左右の上部には、昇降装置（図示せず）との連結部である連結孔１２３、１２３が表裏貫通して矩形状に形成されている。
【００２３】
看板蓋部材１３０は、電飾看板１００がセンター飾り１５に取り付けられた状態で後面側に開口を有する略矩形箱状の形状を有しており、プラスチック等の樹脂材料を用いて射出成形等の成形手段により一体的に成形され、表面をシルバーメッキされて成形される。看板蓋部材１３０の外面側底部（前面）１３４ａの中央部には、所定の文字や図形等（本実施形態では、所定の文字）の形状を有した複数の装飾透過孔１３１ａを備えた装飾突出部１３１が外方（前方）に突出するように形成されており、電飾基板１１０の中央部に配設された各ＬＥＤ１１１ａから射出された照明光が、光拡散ユニット１４０を介して拡散され、この装飾透過孔１３１ａから射出するように構成されている。さらに、外面側底部１３４ａの装飾突出部１３１の周辺部には、複数の光透過孔１３２が形成されており、電飾基板１１０の上下端部に配設された各ＬＥＤ１１１ｂから射出された照明光が、光拡散ユニット１４０を介して拡散され、この光透過孔１３２から射出されるように構成されている。
【００２４】
看板蓋部材１３０の内面側底部１３４ｂ（図５参照）には、上下及び左右の側部から後方に延びる側壁部１３３，１３３…と、外面側底部１３４ａの装飾突出部１３１に対応する位置に装飾レンズ部材１４５が挿入されるレンズ挿入凹部１３５（図５参照）とが形成されており、この内面側底部１３４ｂ及び各側壁部１３３によって形成された内部空間に光拡散ユニット１４０が挿入され保持されるように構成されている。また、上方の側壁部１３３の外面の中央部には、前方に突出し更に上方へ延びる（側面視においてＬ字形状を成す）案内部１３６が形成されており、案内部１３６の上方部に形成され左右方向に張り出した張出部１３６ａ，１３６ａが、昇降装置の案内レール部材（図示せず）に形成された案内溝（図示せず）に摺動自在に内挿され、電飾看板１００が上下方向に円滑な移動ができるように構成されている。
【００２５】
光拡散ユニット１４０は、図４に示すように、電飾基板１１０の上下端部に配設された各ＬＥＤ１１１ｂから射出された照明光を拡散させる外側レンズ部材１４１と、電飾基板１１０に配設されたＬＥＤ１１１ａ、ＬＥＤ１１１ｂからそれぞれ射出された照明光が互いに混交しないように遮断する遮光枠部材１４２，１４２と、電飾基板１１０の中央部に配設された各ＬＥＤ１１１ａから射出された照明光を拡散させる光拡散シート部材１４３，１４３と、各光拡散シート部材１４３によって拡散された光を更に拡散させる内側レンズ部材１４４，１４４と、各内側レンズ部材１４４から射出された拡散光を透過させて所定の色彩の装飾光を射出させる装飾レンズ部材１４５，１４５と、光拡散シート部材１４３及び内側レンズ部材１４４を固定保持させる押圧枠部材１４６，１４６とから構成される。
【００２６】
外側レンズ部材１４１は、電飾看板１００がセンター飾り１５に取り付けられた状態で後面側に開口を有する略矩形箱状の形状を有しており、ＡＢＳ樹脂やポリカーボネート（ＰＣ）等の透明な樹脂材料を用いて射出成形等の成形手段により一体的に成形される。外側レンズ部材１４１の外面側底部（前面）１４１ａの中央部には、看板蓋部材１３０の内面側底部１３４ｂに形成されたレンズ挿入凹部１３５と略同一形状の開口部１４７が表裏貫通して形成されている。この開口部１４７には、各遮光枠部材１４２が挿入され保持されるように構成されている。外側レンズ部材１４１の内面側底部１４１ｂには、図５に示すように、複数のディンプル形状（例えば、側面視半球状）のレンズ状突起部１４１ｃが内面側底部１４１ｂの全面に形成されている。この外側レンズ部材１４１は、看板蓋部材１３０の内面側底部１３４ｂ及び各側壁部１３３によって形成された内部空間と略同一形状に形成されており、この内部空間に挿入され保持されることにより、電飾基板１１０の上下端部に配設された各ＬＥＤ１１１ｂから射出された指向性の強い照明光を拡散させるように構成されている。
【００２７】
遮光枠部材１４２，１４２は、表裏貫通した開口を有する略矩形枠状の形状を有しており、遮光性を有するプラスチック等の樹脂材料を用いて射出成形等の成形手段により成形される。この遮光枠部材１４２は、外側レンズ部材１４１に形成された開口部１４７と略同一形状に形成されており、この開口部１４７に挿入され保持されることにより、電飾基板１１０に配設されたＬＥＤ１１１ａ、ＬＥＤ１１１ｂからそれぞれ射出された照明光、もしくは外側レンズ部材１４１、光拡散シート部材１４３及び内側レンズ部材１４４によって拡散された拡散光が互いに混交しないように構成されている。各遮光枠部材１４２の前後面に表裏貫通して形成された開口部１４２ａは、外側レンズ部材１４１に形成された開口部１４７と略同一形状に形成されており、この遮光枠部材１４２の開口部１４２ａの内側に内側レンズ部材１４４、光拡散シート部材１４３及びレンズ押圧枠部材１４６が順次挿入され保持されるように構成されている。
【００２８】
光拡散シート部材１４３，１４３は、略矩形シート状の形状を有しており、光拡散性を有するプラスチック等の樹脂材料を用いて成形される（例えば、乳白色シート）。この各光拡散シート部材１４３は、遮光枠部材１４２に形成された開口部１４２ａと略同一形状に形成されており、この開口部１４２ａに挿入され保持されることにより、電飾基板１１０の中央部に配設された各ＬＥＤ１１１ａから射出された指向性の強い照明光を拡散させるように構成されている。
【００２９】
内側レンズ部材１４４，１４４は、電飾看板１００がセンター飾り１５に取り付けられた状態で後面側に開口を有する略矩形箱状の形状を有しており、ＡＢＳ樹脂やポリカーボネート（ＰＣ）等の透明な樹脂材料を用いて射出成形等の成形手段により一体的に成形される。各内側レンズ部材１４４の内面側底部１４４ｂには、図５に示すように、複数のディンプル形状（例えば、側面視半球状）のレンズ状突起部１４４ｃが内面側底部１４４ｂの全面に形成され、内面側底部１４４ｂの上下及び左右の側部から後方に延びる側壁部１４４ｄが形成されている。この各内側レンズ部材１４４は、遮光枠部材１４２に形成された開口部１４２ａと略同一形状に形成されており、この開口部１４２ａに光拡散シート部材１４３の前方に挿入され保持されることにより、電飾基板１１０の中央部に配設された各ＬＥＤ１１１ａから射出された指向性の強い照明光が、光拡散シート部材１４３を透過することによって拡散された光を更に拡散させるように構成されている。
【００３０】
装飾レンズ部材１４５，１４５は、略矩形板状の形状を有しており、ＡＢＳ樹脂やポリカーボネート（ＰＣ）等の有色透明な樹脂材料を用いて射出成形等の成形手段により成形される。この各装飾レンズ部材１４５は、看板蓋部材１３０の内面側底部１３４ｂに形成されたレンズ挿入凹部１３５と略同一形状に形成されており、各装飾レンズ部材１４５の前方面には、看板蓋部材１３０の装飾突出部１３１に形成された複数の装飾透過孔１３１ａと略同一形状の装飾突起部１４５ａが複数形成されている。この各装飾突起部１４５ａは、看板蓋部材１３０の装飾透過孔１３１ａに後方側から挿入され保持されることにより、電飾基板１１０の中央部に配設された各ＬＥＤ１１１ａから射出された指向性の強い照明光が、光拡散シート部材１４３及び内側レンズ部材１４４を順次透過することによって拡散され、この拡散光が装飾突起部１４５ａを透過すことによって、装飾レンズ部材１４５から所定の色彩の装飾光を射出させるように構成されている。
【００３１】
押圧枠部材１４６，１４６は、表裏貫通した開口を有する略矩形枠状の形状を有しており、ＡＢＳ樹脂やポリカーボネート（ＰＣ）等の透明な樹脂材料を用いて射出成形等の成形手段により成形される。この各押圧枠部材１４６は、遮光枠部材１４２に形成された開口部１４２ａと略同一形状に形成されており、この開口部１４２ａにおいて光拡散シート部材１４３の後方に挿入され保持されることにより、内側レンズ部材１４４及び光拡散シート部材１４３が、遮光枠部材１４２の開口部１４２ａの内部に固定保持されるように構成されている。
【００３２】
装飾看板１００を以上のように構成すると、図5に示すように、看板蓋部材１３０の内面側底部１３４ｂ及び各側壁部１３３によって形成された内部空間において、まず、レンズ挿入凹部１３５に装飾レンズ部材１４５が挿入され、装飾レンズ部材１４５の装飾突起部１４５ａが看板蓋部材１３０の装飾透過孔１３１ａから前方（遊技者）に露出するように保持される。そして、外側レンズ部材１４１の外面側底部１４１ａと看板蓋部材１３０の光透過孔１３２とが対向及び外側レンズ部材１４１の開口部１４７と装飾レンズ部材１４５とが対向するように、外側レンズ部材１４１が挿入され保持される。
【００３３】
次に、外側レンズ部材１４１の開口部１４７に遮光枠部材１４２を挿入するとともに、遮光枠部材１４２の開口部１４２ａに、装飾レンズ部材１４５の後面と内側レンズ部材１４４の外面側底部１４４ａとが対向するように内側レンズ部材１４４が挿入され、更に内側レンズ部材１４４の側壁部１４４ｄの後方側面と光拡散シート部材１４３の前面とが対向するように光拡散シート部材１４３が挿入され、そして光拡散シート部材１４３の後面と押圧枠部材１４６の前面とが対向するように押圧枠部材１４６が挿入される。
【００３４】
このように光拡散ユニット１４０が看板蓋部材１３０内に挿入されると、看板本体部材１２０に電飾基板１１０を基板取付ネジ（図示せず）によってネジ締結させた状態で、光拡散ユニット１４０（看板蓋部材１３０の後面側の開口）を後方から覆うように、看板蓋部材１３０に看板本体部材１２０を看板封止ネジ（図示せず）によってネジ締結されて、装飾看板１００が封止状態で保持される。このように装飾看板１００が封止状態で保持されると、電飾基板１１０の中央部に配設された各ＬＥＤ１１１ａが光拡散シート部材１４３の後方面及び内側レンズ部材１４４の内面側底部１４４ｂと対向して位置し、電飾基板１１０の上下端部に配設された各ＬＥＤ１１１ｂが外側レンズ部材１４１の内面側底部１４１ｂと対向して位置する。
【００３５】
したがって、電飾基板１１０の中央部に配設された各ＬＥＤ１１１ａから照射された照明光は、まず、光拡散シート部材１４３の後面に入射し、屈折あるいは散乱されて光拡散シート部材１４３の前面から射出される。光拡散シート部材１４３で拡散された光は、次に、内側レンズ部材１４４に入射するとともに、内側レンズ部材１４４の内面側底部１４４ｂが有するディンプル形状のレンズ状突起部１４４ｃにより屈折あるいは散乱される。これによって、光拡散シート部材１４３で拡散された光がより一層拡散されて内側レンズ部材１４４の外面側底部１４４ａから射出される。そして、光拡散シート部材１４３及び内側レンズ部材１４４によって充分に拡散された拡散光は、装飾レンズ部材１４５を介して所定の色彩の装飾光を射出し、遊技中の遊技者からは、看板蓋部材１３０の外面側底部１３４ａに形成された所定の文字が発光して視認される。
【００３６】
また、電飾基板１１０の上下端部に配設された各ＬＥＤ１１１ｂから照射された照明光は、外側レンズ部材１４１に入射するとともに、外側レンズ部材１４１の内面側底部１４１ｂが有するディンプル形状のレンズ状突起部１４１ｃにより屈折あるいは散乱される。これによって、各ＬＥＤ１１１ｂから射出された照明光が拡散されて外側レンズ部材１４１の外面側底部１４１ａから射出される。そして、外側レンズ部材１４１によって拡散された拡散光は、看板蓋部材１３０の装飾突出部１３１（所定の文字）の周辺部に形成された複数の光透過孔１３２を透過して、遊技中の遊技者からは、看板蓋部材１３０の外面側底部１３４ａに形成された所定の文字の周辺部が発光して視認される。
【００３７】
以上説明した本実施形態によると、電気装飾装置２０の一つである電飾看板１００は、看板蓋部材１３０と電飾基板１１０との間に、光拡散ユニット１４０を構成する光拡散シート部材１４３、内側レンズ部材１４４及び外側レンズ部材１４１が配置され、電飾基板１１０に配設されたＬＥＤ１１１ａ、ＬＥＤ１１１ｂから照射される照明光をそれぞれ拡散して発光するので、光拡散シート部材１４３、内側レンズ部材１４４及び外側レンズ部材１４１が、指向性の強い点発光型のＬＥＤ１１１ａ、ＬＥＤ１１１ｂからの照明光を効率よく拡散し、発光面積の大きい広がりのある拡散光にすることができる。これにより、電飾看板１００の前方面の全面から光を発することができ、パチンコ機ＰＭの遊技盤１０上に設けられた各種役物の中でもセンター飾り１５の装飾効果を一段と高め、遊技者の興趣の向上を図るものとしている。
【００３８】
また、電飾看板１００は、看板蓋部材１３０と電飾基板１１０との間に、光拡散ユニット１４０を構成する光拡散シート部材１４３、内側レンズ部材１４４及び外側レンズ部材１４１が配置され、電飾基板１１０に配設されたＬＥＤ１１１ａ、ＬＥＤ１１１ｂから照射される照明光をそれぞれ拡散して発光するので、ＬＥＤ１１１ａ及びＬＥＤ１１１ｂと看板蓋部材１３０との間に充分な距離を取ることができない場合であっても、光拡散シート部材１４３、内側レンズ部材１４４及び外側レンズ部材１４１が層状に配置されることによって効率良くＬＥＤ１１１ａ及び１１１ｂからの照明光を拡散できるようになり、電飾看板１００の薄型化を図ることができる。
【００３９】
外側レンズ部材１４１は、その内面側底部１４１ｂにレンズ状突起部１４１ｃを有しているので、内面側底部１４１ｂが平坦面の場合に比して受光面積が広くなり、外側レンズ部材１４１内部に生じる光の屈折や散乱の要因が増えることで拡散透過光が増大し、光の拡散効率を向上させることができる。これにより、電飾基板１１０に配設されたＬＥＤ１１１ｂから照射される照明光は、レンズ状突起部１４１ｃの形状が有する性質に基づいて拡散される。また、内側レンズ部材１４４は、その内面側底部１４４ｂにレンズ状突起部１４４ｃを有しているので、内面側底部１４４ｂが平坦面の場合に比して受光面積が広くなり、内側レンズ部材１４４内部に生じる光の屈折や散乱の要因が増えることで拡散透過光が増大し、光の拡散効率を向上させることができる。これにより、電飾基板１１０に配設されたＬＥＤ１１１ａから照射される照明光は、光拡散シート部材１４３が有する性質に基づいて拡散され、その拡散された光が、レンズ状突起部１４４ｃの形状が有する性質に基づいて更に拡散されるため、広範囲に亘って効率よくＬＥＤ１１１ａ及びＬＥＤ１１１ｂからの照明光を拡散させることができる。
【００４０】
光拡散シート部材１４３及び内側レンズ部材１４４と外側レンズ部材１４１との間、すなわち電飾基板１１０の中央部に配設されたＬＥＤ１１１ａと上下端部に配設されたＬＥＤ１１１ｂとの間に遮光枠部材１４２を設けることにより、ＬＥＤ１１１ａから照射された照明光が、外側レンズ部材１４１を介して看板蓋部材１３０の光透過孔１３２を透過することはなく、また、ＬＥＤ１１１ｂから照射された照明光が、光拡散シート部材１４３、内側レンズ部材１４４及び装飾レンズ部材１４５を介して射出されることはない。このため、電飾基板１１０に配設されたＬＥＤ１１１ａ，ＬＥＤ１１１ｂの個数をそれぞれ設定することにより、例えば、ＬＥＤ１１１ｂの個数よりもＬＥＤ１１１ａの個数を多くすると、看板蓋部材１３０に形成された所定の文字の周辺部の発光輝度よりも、所定の文字の発光輝度が大きくなり、より一層に所定の文字を強調して遊技者に視認させることができる。
【００４１】
なお、以上で説明した本実施形態において、外側レンズ部材１４１及び内側レンズ部材１４４には、レンズ状突起部１４１ｃもしくはレンズ状突起部１４４ｃを光が入射する面（内面側底部１４１ｂもしくは内面側底部１４４ｂ）にしか設けていないが、光が射出する面（外面側底部１４１ａもしくは外面側底部１４４ａ）に設けてもよい。その場合には、レンズ状突起部１４１ｃもしくはレンズ状突起部１４４ｃの内部で生じる光の屈折や散乱が増えるとともに、光が射出する面が平坦面の場合に比して射出面積が広くなることで透過光が拡散され、光の拡散効率を向上させることができる。さらに、レンズ状突起部１４１ｃもしくはレンズ状突起部１４４ｃが、光を入射する面及び光を射出する面の両方に設けられた場合においては、両面に設けられた各レンズ状突起部１４１ｃもしくは各レンズ状突起部１４４ｃが相乗効果を為し、光の拡散効率を向上させることができる。
【００４２】
また、外側レンズ部材１４１及び内側レンズ部材１４４には、ディンプル形状のレンズ状突起部１４１ｃもしくはレンズ状突起部１４４ｃを設けたが、レンズ状突起部１４１ｃもしくはレンズ状突起部１４４ｃはダイアモンド形状等の形状であってもよく、凹凸を有した拡散性の高い形状であれば特に限定されるものではない。さらに、上記したように、レンズ状突起部１４１ｃもしくはレンズ状突起部１４４ｃが、光を入射する面及び光を射出する面の両方に設けられた場合には、それぞれの面において異なる形状のレンズ状突起部１４１ｃもしくはレンズ状突起部１４４ｃを設けてもよい。
【００４３】
以上、本発明をその好適な実施の形態に基づいて説明したが、本発明の遊技機は、上記実施形態の構成にのみ限定されるものではなく、上記実施形態の構成から種々の修正及び変更を施した遊技機も本発明の範囲に含まれる。
【図面の簡単な説明】
【００４４】
【図１】本発明に係る遊技機の一例として示すパチンコ機の正面図である。
【図２】上記パチンコ機における遊技盤単体の正面図である。
【図３】上記遊技盤に設けられた電飾看板の分解斜視図である。
【図４】光拡散ユニットの分解斜視図である。
【図５】図２のＶ‐Ｖ断面図である。
【符号の説明】
【００４５】
ＰＭ    パチンコ機
１００  電飾看板（電気装飾装置）
１１０  電飾基板（電気装飾基板）
１１１ａ，１１１ｂ  ＬＥＤ（照明光源）
１３０  看板蓋部材（装飾カバー部材）
１４０  光拡散ユニット（光拡散部材）
１４１  外側レンズ部材（拡散レンズ部材）
１４３  光拡散シート部材（拡散シート部材）
１４４  内側レンズ部材（拡散レンズ部材）
【図１】
2008250067.tif 000003
【図２】
2008250067.tif 000004
【図３】
2008250067.tif 000005
【図４】
2008250067.tif 000006
【図５】
2008250067.tif 000007